(57)【要約】【課題】構造が単純であるのに、建造物の出入口を通過する際、人や物に由来する汚染物を、非清浄エリアから清浄エリア内に持ち込ませない汚染遮断エアーゲートを提供する。【解決手段】機体１０中央に吸込口１１をそれを挟んで対向エアー吹出口１２及び一方向エアー吹出口１３を設けた両側エアー吹出機１４と、機体１５中央に吸込口１６を設けこれの片側に対向エアー吹出口１７を設けた片側エアー吹出機１８と、これらを繋ぐ天板１９とからなり、両側及び片側エアー吹出機１４及び１８は、向かい合わせに出入口３に設置し、対向エアー吹出口１２、１７を非清浄エリア４側に、一方向エアー吹出口１３を清浄エリア５側に位置させて、対向エアー吹出口１２、１７から水平方向エアーＡ１を吹き出し、一方向エアー吹出口１３から水平方向エアーＡ２を吹き出して、非清浄エリア４から汚染物が清浄エリア５内に侵入するのを遮断することで、上記課題を達成する。【選択図】図２
2012149864.tif 000002
【特許請求の範囲】
【請求項１】
建造物の出入口に設置して非清浄エリアから汚染物が清浄エリア内に侵入するのを遮断する汚染遮断エアーゲートであって、該汚染遮断エアーゲートは、機体の中央部に吸込口を設け且つ該吸込口の一端側に対向エアー吹出口を設けると共に他端側に一方向エアー吹出口を設けてなる両側エアー吹出機と、機体の中央部に吸込口を設け且つ該吸込口の一端側に対向エアー吹出口を設けてなる片側エアー吹出機と、これら両側エアー吹出機と片側エアー吹出機とを上面にて繋ぐ天板と、からなり、両側エアー吹出機と片側エアー吹出機とは、吸込口及び対向エアー吹出口を互いに向かい合わせに出入口に設置すると共に、双方の対向エアー吹出口を非清浄エリア側に位置させ、一方向エアー吹出口を清浄エリア側に位置させて、双方の対向エアー吹出口から水平方向エアーを吹き出すと共に、一方向エアー吹出口から水平方向エアーを吹き出して、非清浄エリアから汚染物が清浄エリア内に侵入するのを遮断することを特徴とする汚染遮断エアーゲート。
【請求項２】
前記建造物の出入口における非清浄エリア側に扉を設置してある請求項１記載の汚染遮断エアーゲート。
【請求項３】
前記両側エアー吹出機の一方向エアー吹出口における吹き出し方向は、前記片側エアー吹出機の吸込口に向いている請求項１または２記載の汚染遮断エアーゲート。
【請求項４】
前記両側エアー吹出機及び前記片側エアー吹出機の少なくともいずれか一方にエアーの一部を外部に出入りさせる外部出入口を設けてなる請求項１、２または３記載の汚染遮断エアーゲート。
【請求項５】
前記両側エアー吹出機及び前記片側エアー吹出機の少なくともいずれか一方に消臭剤噴霧器を設けてなる請求項１、２、３または４記載の汚染遮断エアーゲート。
【請求項６】
前記両側エアー吹出機及び前記片側エアー吹出機の少なくともいずれか一方に芳香剤噴霧器を設けてなる請求項１、２、３または４記載の汚染遮断エアーゲート。
【請求項７】
前記両側エアー吹出機の対向エアー吹出口側及び前記片側エアー吹出機に消臭剤噴霧器を設けると共に、前記一方向エアー吹出口側に芳香剤噴霧器を設けてなる請求項１、２、３または４記載の汚染遮断エアーゲート。
【発明の詳細な説明】
【技術分野】
【０００１】  本発明は、建造物の出入口により清浄エリアと非清浄エリアとに区分され、その出入口に設置して非清浄エリアから汚染物が清浄エリア内に侵入するのを遮断する汚染遮断エアーゲートに関する。
【背景技術】
【０００２】  建造物の出入口により清浄エリアと非清浄エリアとに区分されている場合、非清浄エリアから汚染物が清浄エリア内に侵入するのを遮断する最も簡単な手段は、自動ドアをはじめとする扉を設けることである。しかしながら、人の出入りや物の流通の必要性から、扉を開けなければならず、その際、非清浄エリアから汚染物が清浄エリア内に侵入するのを遮断することができない。このような場合でも、汚染物が清浄エリア内に侵入するのを防ぐため、従来から行われている手段は、出入口の上部にエアーカーテン装置を設けて、常時あるいは扉がある場合は扉が開いている時に、エアーカーテンを吹き下ろすようにすることである。【０００３】  この吹き下ろしたエアーカーテンによって、人や物にすでに付着している汚染物、あるいは人や物の移動に伴いそれらの後に発生する渦流により人や物にまとわりついている汚染物を、排除することが出来る。しかしながら、エアーカーテンと共に排除された汚染物は、床などに当たり分散し、その結果、エアーカーテンの遮断効果が大幅に低下することになってしまう。【０００４】  このような状況から、清浄エリアと非清浄エリアとの間にある出入口に、汚染物除去室を設け、この汚染物除去室は、入口と出口とがあり、入口から出口に至る壁面にノズルを設けると共に、入口及び出口の内方両側に９０度湾曲したガイドベーンを複数枚設置してある。この汚染物除去室により、壁面のノズルから吹き出されたエアーは、壁面に沿い入口及び出口に向かい、ガイドベーンの間を通り面状の気流、すなわち、エアーカーテンとなり、入口及び出口にそれぞれ出来たエアーカーテンによって、非清浄エリアから汚染物が清浄エリア内に侵入するのを遮断している（例えば、特開２００３−７４９３１号公報参照）。
【先行技術文献】
【特許文献】
【０００５】
【特許文献１】  特開２００３−７４９３１号公報
【発明の概要】
【発明が解決しようとする課題】
【０００６】  上記特許文献１のエアーカーテン利用の汚染物遮断方式は、入口から出口に至る壁面に設けたノズルから吹き出されたエアーが壁面に当たり、壁面に沿い入口及び出口の内方両側に複数枚設置してあるガイドベーンによって、方向転換してからエアーカーテンとなるものである。このため、エアーカーテンの風速が減衰しているから遮断効果が低下し、しかも、両方向からのエアーカーテンであるから、エアーカーテン同士が当たり乱流となって、人や物に付着している汚染物を飛散させるのに役立つが、汚染物を遮断する効果を期待することが困難となる。【０００７】  この汚染物を遮断するには、明細書に記載しているように、汚染物除去室の通路に孔開き板を敷いて吸込口を形成し、そこから強力に吸引しなければならないことになる。さらに、エアーカーテンを形成するため、多数のガイドベーンが必要となり、全体として大掛かりものとなってしまう。【０００８】  そこで、本発明は、上記事情に鑑みてなされたもので、構造が単純であるのに、建造物の出入口を通過する際、人や物に由来する汚染物を、非清浄エリアから清浄エリア内に持ち込ませないようにした汚染遮断エアーゲートを提供することを課題とする。
【課題を解決するための手段】
【０００９】  本発明は、上記課題を達成するために提案されたものであって、下記の構成からなることを特徴とするものである。
すなわち、請求項１記載の発明は、建造物の出入口に設置して非清浄エリアから汚染物が清浄エリア内に侵入するのを遮断する汚染遮断エアーゲートであって、該汚染遮断エアーゲートは、機体の中央部に吸込口を設け且つ該吸込口の一端側に対向エアー吹出口を設けると共に他端側に一方向エアー吹出口を設けてなる両側エアー吹出機と、機体の中央部に吸込口を設け且つ該吸込口の一端側に対向エアー吹出口を設けてなる片側エアー吹出機と、これら両側エアー吹出機と片側エアー吹出機とを上面にて繋ぐ天板と、からなり、両側エアー吹出機と片側エアー吹出機とは、吸込口及び対向エアー吹出口を互いに向かい合わせに出入口に設置すると共に、双方の対向エアー吹出口を非清浄エリア側に位置させ、一方向エアー吹出口を清浄エリア側に位置させて、双方の対向エアー吹出口から水平方向エアーを吹き出すと共に、一方向エアー吹出口から水平方向エアーを吹き出して、非清浄エリアから汚染物が清浄エリア内に侵入するのを遮断することを特徴とする汚染遮断エアーゲートである。【００１０】  また、請求項２記載の発明は、前記建造物の出入口における非清浄エリア側に扉を設置してある汚染遮断エアーゲートである。【００１１】  また、請求項３記載の発明は、前記両側エアー吹出機の一方向エアー吹出口における吹き出し方向が、前記片側エアー吹出機の吸込口に向いている汚染遮断エアーゲートである。【００１２】  また、請求項４記載の発明は、前記両側エアー吹出機及び前記片側エアー吹出機の少なくともいずれか一方にエアーの一部を外部に出入りさせる外部出入口を設けてなる汚染遮断エアーゲートである。【００１３】  また、請求項５記載の発明は、前記両側エアー吹出機及び前記片側エアー吹出機の少なくともいずれか一方に消臭剤噴霧器を設けてなる汚染遮断エアーゲートである。【００１４】  また、請求項６記載の発明は、前記両側エアー吹出機及び前記片側エアー吹出機の少なくともいずれか一方に芳香剤噴霧器を設けてなる汚染遮断エアーゲートである。【００１５】  また、請求項７記載の発明は、前記両側エアー吹出機の対向エアー吹出口側及び前記片側エアー吹出機に消臭剤噴霧器を設けると共に、前記一方向エアー吹出口側に芳香剤噴霧器を設けてなる汚染遮断エアーゲート。【００１６】  上記請求項１の発明による作用は次の通りである。すなわち、建造物の出入口に設置してある汚染遮断エアーゲート内を通り、非清浄エリアから清浄エリア内に人や物など（以下、単に「人など」という）が入る際、両側エアー吹出機及び片側エアー吹出機の対向エアー吹出口から水平方向エアーを吹き出して、人などに当たり且つ水平方向エアー同士も当たって乱流となり、人などにすでに付着している汚染物や、人などの移動に伴い発生する渦流によりまとわりついている汚染物を飛散させ、双方の両側及び片側エアー吹出機の中央部にある吸込口に水平方エアーと共に吸い込んで排除し、さらに、両側エアー吹出機の一方向エアー吹出口から水平方向エアーを吹き出しても、飛散している汚染物を片側エアー吹出機の中央部にある吸込口に水平方向エアーと共に吸い込んで排除する。一方、人などが汚染遮断エアーゲート内を清浄エリア側に進んでゆくと、両側エアー吹出機の���方向エアー吹出口から吹き出た水平方向エアーが人などに当たり、さらに人などに由来する汚染物を飛散させると共に、そのまま汚染物を片側エアー吹出機の吸込口に水平方向エアーと共に吸い込んで排除する。【００１７】  上記請求項２の発明による作用は、非清浄エリア側に扉があると、非清浄エリアから清浄エリアに汚染物が入る可能性は、扉が開いているときのみとなる。【００１８】  上記請求項３の発明による作用は、一方向エアー吹出口から吹き出た水平方向エアーは、片側エアー吹出機の中央部にある吸込口に向かうことになる。【００１９】  上記請求項４の発明による作用は、汚染物を含んだ水平方向エアーを、両側エアー吹出機及び片側エアー吹出機の少なくともいずれか一方にある外部出入口からその一部を外部に排出したり、外部から清浄エアーを導入したりする。【００２０】  上記請求項５の発明による作用は、両側エアー吹出機及び片側エアー吹出機の少なくともいずれか一方に設けた消臭剤噴霧器から消臭剤を噴霧し、水平方向エアー中の汚染物を消臭する。【００２１】  上記請求項６の発明による作用は、両側エアー吹出機及び片側エアー吹出機の少なくともいずれか一方に設けた芳香剤噴霧器から芳香剤を噴霧し、水平方向エアーに香り付けする。【００２２】  上記請求項７の発明による作用は、両側エアー吹出機の対向エアー吹出口側及び片側エアー吹出機の対向エアー吹出口側から消臭剤を噴霧し、水平方向エアー中の汚染物を消臭し、しかるのち両側エアー吹出機の一方向エアー吹出口側から芳香剤を噴霧し、水平方向エアーに香り付けする。
【発明の効果】
【００２３】  以上詳述したように、本発明によれば、以下のような効果がある。
請求項１記載の発明は、構造が単純であるのに係わらず、人などが建造物の出入口を通過する際、人などに由来する汚染物を、非清浄エリアから清浄エリア内に持ち込ませない効果がある。【００２４】  請求項２記載の発明は、上記の効果をなお一層顕著にする。【００２５】  請求項３記載の発明は、一方向エアー吹出口から吹き出た水平方向エアーの方向が、片側エアー吹出機の中央部にある吸込口にずれた分、上記の効果をなお一層顕著にする。【００２６】  請求項４記載の発明は、上記の効果に加えて、汚染物を含んだ水平方向エアーの一部を外部出入口から外部に排出したり、清浄エアーを導入したり出来るから、汚染物が蓄積することがない効果がある。【００２７】  請求項５記載の発明は、上記の効果に加えて、消臭剤により水平方向エアー中の汚染物の臭いを消すことができる効果がある。【００２９】  請求項６記載の発明は、上記の効果に加えて、芳香剤により水平方向エアー中の汚染物の臭いを緩和することができる効果がある。【００３０】  請求項７記載の発明は、上記の効果に加えて、消臭剤により水平方向エアー中の汚染物の臭いを消し、そのあと芳香剤により水平方向エアーに香り付けをすることができる効果がある。
【図面の簡単な説明】
【００３１】
【図１】本発明の実施の形態を示す汚染遮断エアーゲートを建造物の出入口に設置した状態の正面図である。
【図２】本発明の実施の形態を示す汚染遮断エアーゲートを建造物の出入口に設置した状態の平面図である。
【図３】図１の汚染遮断エアーゲートにおける両側エアー吹出機の正面図である。
【図４】図１の汚染遮断エアーゲートにおける片側エアー吹出機の正面図である。
【図５】図２の両側エアー吹出機の断面図である。
【図６】汚染遮断エアーゲートの使用状態を示すを正面図である。
【図７】汚染遮断エアーゲートの使用状態を示すを平面図である。
【図８】汚染遮断エアーゲートの使用状態を示すを平面図である。
【図９】汚染遮断エアーゲートの使用状態を示すを平面図である。
【発明を実施するための形態】
【００３２】  図において、汚染遮断エアーゲート１は、建造物２の出入口３に設置して、非清浄エリア４から汚染物が清浄エリア５内に侵入するのを遮断するものである。この汚染遮断エアーゲート１は、機体１０の中央部に吸込口１１を設け且つこの吸込口１１の一端側に対向エアー吹出口１２を設けると共に他端側に一方向エアー吹出口１３を設けてなる両側エアー吹出機１４と、機体１５の中央部に吸込口１６を設け且つこの吸込口１６の一端側に対向エアー吹出口１７を設けてなる片側エアー吹出機１８と、これら両側エアー吹出機１４と片側エアー吹出機１８とを上面にて繋ぐ天板１９と、からなり、両側エアー吹出機１４と片側エアー吹出機１８とは、吸込口１１、１６及び対向エアー吹出口１２、１７を互いに向かい合わせに出入口３に設置すると共に、双方の対向エアー吹出口１２、１７を非清浄エリア４側に位置させ、一方向エアー吹出口１３を清浄エリア５側に位置させて、双方の対向エアー吹出口１２、１７から水平方向エアーＡ１を吹き出すと共に、一方向エアー吹出口１３から水平方向エアーＡ２を吹き出して、非清浄エリア４から汚染物が清浄エリア５内に侵入するのを遮断するものである。
【００３３】  前記建造物２の出入口３には、扉が有っても無くてもよいが、この例では扉として自動ドア６が設けられている。扉は手動でも良く特に限定がないが、通常自動ドア６である場合が多い。また、出入口３に自動ドア６などの扉が設けられている場合、扉が開く直前に汚染遮断エアーゲート１を作動させるようにしたり、あるいは常時作動させるようにしたり、いずれでも良い。この出入口３に自動ドア６などの扉が有れば、非清浄エリア４から汚染物が清浄エリア５内に侵入する機会が大幅に減って、好ましい状況を現出することが出来る。なお、図１中、７は建造物２の天井であり、８は床である。
【００３４】  前記汚染遮断エアーゲート１の両側エアー吹出機１４は、すでに述べたように、機体１０の中央部に吸込口１１を設け、且つこの吸込口１１の一端側に対向エアー吹出口１２を設けて、他端側に一方向エアー吹出口１３を設けてなるものである。この機体１０は、偏平な箱体をなし、その一側面の中央部に吸込口１１が有り、その吸込口１１は４ブロックに分割されている。さらに、吸込口１１の一端側にある対向エアー吹出口１２は、８ブロックに分割され、他端側にある一方向エアー吹出口１３も８ブロックに分割されている。そして、４ブロックに分割されている吸込口１１に対応して、ファン２０が４台設けられ、さらに、８ブロックに分割されている対向エアー吹出口１２及び一方向エアー吹出口１３は、それぞれ２ブロックづつが上記１ブロックの吸込口１１及び１台のファン２０に対応している。
【００３５】  前記機体１０は、図５に示すように、ファン室２１と通路２２とに分かれ、ファン室２１にはファン２０が設置され、同じくファン室２１にある吸込口１１からファン室２１に入ったエアーをファン２０により通路２２側に送り、この通路２２で２方向に分かれて、対向エアー吹出口１２に向かったエアーは、対向エアー側整流器２３により整流されて対向する水平方向エアーＡ１となる。一方向エアー吹出口１３に向かったエアーは、一方向エアー側整流器２４により整流されて一方向の水平方向エアーａ２となる。この一方向エアー側整流器２４は、その軸方向が前記片側エアー吹出機１８の吸込口１６に向けられている。
【００３６】  なお、前記両側エアー吹出機１４のファン室２１内には消臭剤噴霧器２５、あるいは芳香剤噴霧器２６が設置される。消臭剤噴霧器２５から噴霧される消臭剤は、水平方向エアーＡ１、Ａ２中の汚染物の臭いを消すものであり、芳香剤噴霧器２６から噴霧される芳香剤は、水平方向エアーＡ１、Ａ２に香りを付けるものであるから、互いに正反対の役割を担うものである。したがって、人などが非清浄エリア４から清浄エリア５内に入る際、人などに伴った汚染物の臭いをまず消臭剤により消し、しかるのち、芳香剤により香りを付けることになる。このため、消臭剤により汚染物の臭いを消したのち、芳香剤により香りを付ける場合は、通路２２の対向エアー側通路２２ａに消臭剤噴霧器２５を取り付け、通路２２の一方向エアー側通路２２ｂに芳香剤噴霧器２６を取り付けるのがベターである。
【００３７】  前記片側エアー吹出機１８は、すでに述べた両側エアー吹出機１４の一方向エアー吹出口１３が無いだけで、他はほぼ同様であり、機体１５の中央部に吸込口１６を設け且つこの吸込口１６の一端側に対向エアー吹出口１７を設けてなるものである。この機体１５は、その一側面の中央部に吸込口１６が有り、その吸込口１６は４ブロックに分割されている。さらに、吸込口１６の一端側にある対向エアー吹出口１７は、８ブロックに分割され、他端側は一方向エアー吹出口１３が無く、板面になっている。そして、４ブロックに分割されている吸込口１６に対応して、ファン２０Ａが２台設けられ、さらに８ブロックに分割されている対向エアー吹出口１７は、４ブロックづつが上記２ブロックの吸込口１６及び１台のファン２０Ａに対応している。
【００３８】  片側エアー吹出機１８の具体的な構造は、両側エアー吹出機１４とほぼ同様であるが、一方向エアー吹出口１３が無いため、ファン２０Ａが半分の２台となり、消臭剤噴霧器２５のみがファン室あるいはファン室下流の通路に設けられることになる。
【００３９】  前記ファン２０及び２０Ａは、扉の有無に係わらず、人などが出入口３の開口部分を非清浄エリア４側から清浄エリア５側に通過する際、人などに由来する汚染物を飛散させ、吸込口１１、１６に水平方向エアーＡ１、Ａ２と共に吸い込んで、非清浄エリア４から汚染物が清浄エリア５内に侵入するのを遮断するのに必要な、到達距離とエアー量とを付与する風量と風圧とがあれば、特に限定がない。
【００４０】  なお、前記両側エアー吹出機１４及び前記片側エアー吹出機１８の少なくともいずれか一方にエアーの外部出入口２７を設け、さらにその外部出入口２７から換気口などにダクト３０で接続してあると、その外部出入口２７から汚染物を含んだエアーの一部を前記建造物２の外部に排出することができる。したがって、建造物２の出入口３に設置してある汚染遮断エアーゲート１内に、除去した汚染物が蓄積することがなくなる。この外部出入口２７は常時開放されていても良いし、外部出入口２７に弁などを設け、タイマーなどにより弁を開き、ある程度蓄積した汚染物を外部に出してもよい。さらに、汚染感知センサなどを設け、設定した汚染度に達したとき弁を開き蓄積した汚染物を外部に出してもよい。加えて、外部出入口２７に「常時閉で、作動時開」の換気ファンを設けて、上記のタイマーや汚染感知センサなどにより、換気ファンを制御して、蓄積した汚染物を外部に出してもよい。逆に、外部出入口２７と清浄エリア５とをダクト３０で接続したり、前記建造物２の外部とダクト３０で接続したりして、これらダクト３０に導入ファンを据えれば、外部出入口２７から清浄エアーを導入できて、除去汚染物の蓄積を緩和でき、最終的に前記消臭剤噴霧器２５からの消臭剤により、汚染物の臭いを消すことができる。
【００４１】  次に、上記構成になる汚染遮断エアーゲート１の作動状態を詳述する。
まず、図６に示すように、汚染遮断エアーゲート１のファン２０及び２０Ａをオンし、消臭剤噴霧器２５並びに芳香剤噴霧器２６が設置されている場合は、これらをオンして噴霧状態にする。建造物２の出入口３に扉が有り、例えば、自動ドア６が設けられこの自動ドア６により、建造物２が清浄エリア５と非清浄エリア４とに区分されている場合、自動ドア６が開く直前に上記の汚染遮断エアーゲート１をオン状態にするのが最善であるが、これは常時オン状態にするのを排除するものではない。
【００４２】  そして、図７に示すように、建造物２の出入口３を通って非清浄エリア４から清浄エリア５に人など２８が移動しようとすると、まず自動ドア６が開き且つ汚染遮断エアーゲート１がオン状態になっているので、両側エアー吹出機１４及び片側エアー吹出機１８の対向エアー吹出口１２及び１７から水平方向エアーＡ１が吹き出ている。これらの水平方向エアーＡ１は人など２８に当たり、且つ水平方向エアーＡ１同士も当たって乱流となり、人など２８にすでに付着している汚染物や、人などの移動に伴い発生する渦流２９によりまとわりついている汚染物を飛散させて、両側及び片側エアー吹出機１４及び１８の中央部にある吸込口１１及び１６にこれら水平方向エアーＡ１と共に吸い込んで排除する。
【００４３】  さらに、図８に示すように、両側エアー吹出機１４の一方向エアー吹出口１３から吹き出た水平方向エアーＡ２によっても、飛散している汚染物を片側エアー吹出機１８の中央部にある吸込口１６に水平方向エアーＡ２と共に吸い込んで排除する。人など２８が汚染遮断エアーゲート１内をさらに清浄エリア５側に進んでゆくと、両側エアー吹出機１４の一方向エアー吹出口１３から吹き出た水平方向エアーＡ２が人など２８に当たり、さらに人など２８に由来する汚染物を飛散させると共に、そのまま汚染物を片側エアー吹出機１８の吸込口１６に水平方向エアーＡ２と共に吸い込んで排除する。
【００４４】  汚染遮断エアーゲート１が上記の状態を継続すると、汚染遮断エアーゲート１内に除去した汚染物が蓄積するから、外部出入口２７が有ると汚染物を建造物２の外部に排除できて蓄積を防ぐことが出来、逆に、清浄エアーを導入することで、汚染物の蓄積を軽減することが出来る。さらに、図９に示すように、消臭剤噴霧器２５並びに芳香剤噴霧器２６が設置されている場合、水平方向エアーＡ１及びＡ２に消臭剤や芳香剤が噴霧されて、汚染物の臭いを消したり、汚染物の臭いを緩和したり、消臭後の水平方向エアーＡ２に香り付けをしたりすることが可能となる。
【００４５】  以上、本発明の実施例を説明したが、具体的な構成はこれに限定されず、本発明の要旨を逸脱しない範囲での変更・追加、各請求項における他の組み合わせにかかるものも、適宜可能であることが理解されるべきである。
【産業上の利用可能性】
【００４６】  本発明の汚染遮断エアーゲートは、構造が単純にしたく、建造物の出入口を通過する際に、人や物に由来する汚染物を、非清浄エリアから清浄エリア内に持ち込ませないようにしたい場合に、利用可能性が極めて高くなる。
【符号の説明】
【００４７】１                    汚染遮断エアーゲート
２                    建造物
３                    出入口
４                    非清浄エリア
５                    清浄エリア
１０、１５            機体
１１、１６            吸込口
１２、１７            対向エアー吹出口
１３                  一方向エアー吹出口
１４                  両側エアー吹出機
１８                  片側エアー吹出機
２０、２０Ａ          ファン
２１                  ファン室
２２                  通路
２２ａ                対向エアー側通路
２２ｂ                一方向エアー側通路
２３                  対向エアー側整流器
２４                  一方向エアー側整流器
２５                  消臭剤噴霧器
２６                  芳香剤噴霧器
２７                  外部出入口
２８                  人など
２９                  渦流
３０                  ダクト
Ａ１、Ａ２            水平方向エアー
【図１】
2012149864.tif 000003
【図２】
2012149864.tif 000004
【図３】
2012149864.tif 000005
【図４】
2012149864.tif 000006
【図５】
2012149864.tif 000007
【図６】
2012149864.tif 000008
【図７】
2012149864.tif 000009
【図８】
2012149864.tif 000010
【図９】
2012149864.tif 000011